(57)【要約】【課題】キーボードが薄型化されても強度の低下を防止するとともに、熱源からの発熱にも対応したキーボード装置を提供する。【解決手段】キースイッチ１１の下部に設けられる補強板７に打ち出し部１２を形成し、打ち出し部１２の内側に冷却剤１４を充填する。冷却剤１４の上部にはメンブレンシート６が配設される。補強板７の下部に熱源１５が配置される場合、熱源１５からの熱は補強板７の打ち出し部１２を介して冷却剤１４により吸熱され、装置１が過熱するのを防止することができる。また、補強板７に打ち出し部１２を形成することにより、補強板７自体の強度が増し、そのためキーボード装置１も強度が増す。【選択図】  図１
2007156709.tif 000002
【特許請求の範囲】
【請求項１】
ベース部材上に複数のキースイッチを配設して成るキーボード装置において、
前記ベース部材に打ち出し部を形成し、
前記打ち出し部の内側に冷却剤を充填したことを特徴とするキーボード装置。
【請求項２】
前記打ち出し部は前記キースイッチとキースイッチの間にキー列に沿って左右の端部間のほぼ全範囲に渡って形成され、前記冷却剤は前記打ち出し部に連続的に充填される請求項１記載のキーボード装置。
【請求項３】
前記ベース部材上に、前記キースイッチに対応する接点部を有するメンブレンシートを有し、
前記打ち出し部に対向するメンブレンシートの部分に放熱孔を形成した請求項１または２記載のキーボード装置。
【請求項４】
前記放熱孔は所定間隔毎に複数設けられる請求項３記載のキーボード装置。
【請求項５】
前記打ち出し部は、前記ベース部材の下に設けられる部品に応じて任意に形成される請求項２記載のキーボード装置。
【発明の詳細な説明】
【技術分野】
【０００１】
本発明は、複数のキースイッチを具備したキーボード装置に関し、とくに強度と放熱性を改善したキーボード装置に関する。
【背景技術】
【０００２】
キーボード装置は、コンピュータ装置の入力装置として従来より広く使用されている。また近年において、ノート型パーソナルコンピュータの普及に伴い、ノート型パーソナルコンピュータが薄くなる、また軽くなる傾向にあるが、その傾向に合わせて、ノート型パーソナルコンピュータを構成するキーボードも薄型化および軽量化が要求されている。
【０００３】
キーボードの薄型化はキーボードを構成する部品の薄型化を伴う。例えば、キーボードを構成するバックプレートを薄くすることによりキーボードの薄型化が可能である。また他の薄型化の方法として、例えば特開平１１−３１６６４７号公報に開示されるものがある。この公報に開示される薄型化の方法は、ノート型コンピュータの蓋体の表示画面に対向するキースイッチは高さを特に変えずに、表示画面の周縁部に対向するキースイッチのみを低く形成し、蓋体を閉じたときのコンピュータを薄くするようにしたものである。
【特許文献１】特開平１１−３１６６４７号公報
【発明の開示】
【発明が解決しようとする課題】
【０００４】
キーボードの構成部品が薄型化されると、部品の強度が低下する。例えば、上述のようにバックプレートを薄くした場合には、バックプレートの強度が低下する。またノート型パーソナルコンピュータを薄型化すると、部品の密集化が発生し、ＣＰＵなどから発生する発熱量が多くなるという問題がある。
【０００５】
そこで本発明は、キーボードが薄型化された場合の強度の低下を防止するとともに、熱源からの発熱にも対応したキーボード装置を提供することを目的とするものである。
【課題を解決するための手段】
【０００６】
上記課題を解決するために本発明は、ベース部材上に複数のキースイッチを配設して成るキーボード装置において、前記ベース部材に打ち出し部を形成し、前記打ち出し部の内側に冷却剤を充填したことを特徴とする。
【発明の効果】
【０００７】
本発明によれば、ベース部材に打ち出し部を形成したことにより強度の向上を図ることができ、また打ち出し部の内側に冷却剤を充填したことにより、熱源からの熱を吸収することができる。
【発明を実施するための最良の形態】
【０００８】
以下、本発明の実施の形態を図面にしたがって説明する。各図面に共通する要素には同一の符号を付す。図１は本発明の第1の実施の形態のキーボード装置を示す断面図、図２は第１の実施の形態のメンブレンシートを示す分解図、図３は第１の実施の形態のキーボード装置を示す平面図である。
【０００９】
図１において、図には２つのキースイッチが示されているが、構造は同一であるので１つのキースイッチについて説明する。第１の実施の形態のキーボード装置１におけるキースイッチ１１は、キートップ２と、カップゴム３と、リンク機構４と、ハウジング５と、メンブレンシート６と補強板（ベース部材）７とを備えている。
【００１０】
リンク機構４は、支軸４ａにより側面視Ｘ状に遥動可能に取付けられたリンク部材４ｂ、４ｃと、キートップ２の下面に形成されたホルダー４ｄ、４ｅと、ハウジング５上に形成されたホルダー４ｆ、４ｇとから構成されている。リンク部材４ｂとリンク部材４ｃとはそれぞれ支点４ｈ、４ｉを中心に回動することでキートップ２が上下動するようになっている。そしてキートップ２が上方から押下されることにより、カップゴム３が座屈し、カップゴム３の下部に形成された突起部３ａが、メンブレンシート６に形成された接点部８を押下して電気的な導通を得るようになっている。
【００１１】
ハウジング５の下側にメンブレンシート６が配設されている。図２において、メンブレンシート６は、上部シート６ａ、下部シート６ｂおよびスペーサシート６ｃの３枚のＰＥＴ製シートから成り、上部シート６ａと下部シート６ｂとの間にスペーサシート６ｃが挟まれる構成を有している。上部シート６ａのスペーサシート６ｃに対向する面には、Ａｇインキのような導電性インキによるパターン部１６ａが形成され、パターン部１６ａのキースイッチ１１に対向する位置には接点１６ｂが形成されている。なお上部シート６ａに重ねてキートップ２の位置が二点鎖線で示してある。
【００１２】
また下部シート６ｂのスペーサシート６ｃに対向する面には、同様にＡｇインキによるパターン部１７ａが形成され、パターン部１７ａのキースイッチ１１に対向する位置には接点１７ｂが形成されている。またスペーサシート６ｃには、両接点１６ｂ、１７ｂに対向する位置にスペーサ穴１８が形成されている。上部シート６ａの接点１６ｂと下部シート６ｂの接点１７ｂとがスペーサ穴１８を介して接触可能であり、これらで接点部８を構成する。スペーサ穴１８の直径とスペーサシート６ｃの厚さを任意に設定することにより、接点動作荷重を任意に得ることができる。
【００１３】
図１において、メンブレンシート６の下側に配設された補強板７には、キースイッチ１１とキースイッチ１１の間に打ち出し部１２が形成されている。打ち出し部１２は、図３に点線で示すように、キーボード装置１の複数のキー列間にキー列に沿って左側の端部から右側の端部までのほぼ全範囲に渡って連続的に形成されている。打ち出し部１２の上部に形成された空間部１３には冷却剤１４が充填されている。冷却剤１４は空間部１３内に隙間なく連続的に充填されている。冷却剤１４の上部はメンブレンシート６に覆われている。
【００１４】
以上のように構成した第１の実施の形態のキーボード装置１においては、図１に示すように、補強板７の下部にＣＰＵなどの熱源１５が配置されている場合、熱源１５からの熱は補強板７の打ち出し部１２を介して冷却剤１４により吸熱され、装置１が過熱するのを防止することができる。また、補強板７に打ち出し部１２を形成することにより、補強板７自体の強度が増し、そのためキーボード装置１も強度が増す。
【００１５】
そして打ち出し部１２および冷却剤１４を設けることはキーボード装置１本来の動作に影響を与えるものではない。したがって第１の実施の形態によれば、キーボード装置１の本来の機能を維持しつつ、薄型化した場合の強度の確保および冷却効果を得ることが可能である。
【００１６】
次に本発明の第２の実施の形態について説明する。図４は第２の実施の形態のキーボード装置を示す要部断面図、図５は第２の実施の形態の補強板およびメンブレンシートを示す平面図である。図４において、第２の実施の形態のキーボード装置２１は、第１の実施の形態と同様に、補強板７に打ち出し部１２が形成されており、打ち出し部１２の上部内側１３に冷却剤１４が充填されている。
【００１７】
補強板７および冷却剤１４の上部にはメンブレンシート２２が設けられ、メンブレンシート２２の、冷却剤１４に対向する位置に放熱孔２３が形成されている。放熱孔２３は、図５に示すように、複数形成され、打ち出し部１２に沿ってほぼ等間隔に形成されている。放熱孔２３は、メンブレンシート２２を貫通するように、即ち、メンブレンシート２２の上部シート２２ａ、スペーサシート２２ｃおよび下部シート２２ｂを貫通して形成され、そのため冷却剤１４で吸収された熱がメンブレンシート２２の上部に容易に逃げやすくなっている。放熱孔２３の形状は任意に形成可能である。図に示す例では円形であるが、矩形に形成しても良いし、また打ち出し部１２の形状に合わせて細長く形成するようにしてもよい。
【００１８】
以上のように第２の実施の形態では、冷却剤１４の上部のメンブレンシート２２に放熱孔２３を設けたので、補強板７の下部にＣＰＵなどの熱源が配置されている場合、熱源からの熱は補強板７の打ち出し部１２を介して冷却剤１４により吸熱され、さらに冷却剤１４から放熱孔２３により放熱されるので、第１の実施の形態に比べてさらに冷却効果を向上させることが可能となる。
【００１９】
次に第３の実施の形態を説明する。図６は第３の実施の形態の補強板を示す平面図である。図６において、第３の実施の形態の補強板３１には、キースイッチの配列に合わせて、キースイッチとキースイッチの間に、網目状に打ち出し部３２が形成されている。そしてこの網目状の打ち出し部３２に冷却剤１４が充填される。
【００２０】
補強板３１に打ち出し部３２を形成すると、補強板３１の裏側（下側）に突状部が形成される。補強板３１の下側に実装される部品がこの突状部と干渉する場合には、干渉する部分には打ち出し部３２を形成しないようにする。
【００２１】
このように、第３の実施の形態においては、実装部品と干渉しない限りにおいて打ち出し部３２をキースイッチの配列に合わせて縦横に形成することにより、キーボード装置の薄型化を維持しつつ、最大限の強度の向上と最大限の冷却効果を得ることができる。
【００２２】
上記各実施の形態ではノート型パーソナルコンピュータに用いられるキーボード装置を例に説明したが、本発明は上記各実施の形態に限定されるものではなく、各種の入力装置のスイッチにも適用することができる。
【図面の簡単な説明】
【００２３】
【図１】第1の実施の形態のキーボード装置を示す断面図である。
【図２】第１の実施の形態のメンブレンシートを示す分解図である。
【図３】第１の実施の形態のキーボード装置を示す平面図である。
【図４】第２の実施の形態のキーボード装置を示す要部断面図である。
【図５】第２の実施の形態の補強板およびメンブレンシートを示す平面図である。
【図６】第３の実施の形態の補強板を示す平面図である。
【符号の説明】
【００２４】
１  キーボード装置
６、２２  メンブレンシート
７、３１  補強板
１１  キースイッチ
１２、３２  打ち出し部
１４  冷却剤
２３  放熱孔
【図１】
2007156709.tif 000003
【図２】
2007156709.tif 000004
【図３】
2007156709.tif 000005
【図４】
2007156709.tif 000006
【図５】
2007156709.tif 000007
【図６】
2007156709.tif 000008